(57)【要約】【課題】配線する箇所が短距離間であろうと、長距離間であろうと、その取り扱いが簡単であり、さらに使用時には継ぎ足し作業が非常に簡単であり、不使用時にも取り外し作業が非常に簡単で、作業性、保管性に非常に優れた配線具を提供する。【解決手段】前端１ａから後端１ｂにかけて管内径が徐々に広げられた複数本の同一形状のテーパ管１からなり、前方になるテーパ管１の後端１ｂ側に、後方になるテーパ管１の前端１ａ側を差し込んで、複数本のテーパ管１を順次嵌合して連結するようにしている。【選択図】図１
2008236841.tif 000002
【特許請求の範囲】
【請求項１】
前端（１ａ）から後端（１ｂ）にかけて管内径が徐々に広げられた複数本の同一形状のテーパ管（１）からなり、前方になるテーパ管（１）の後端（１ｂ）側に、後方になるテーパ管（１）の前端（１ａ）側を差し込んで、複数本のテーパ管（１）を順次嵌合して連結するようにしたことを特徴とする配線具。
【請求項２】
前記テーパ管（１）の前端（１ａ）の管外径（Ｌ1 ）を３〜２０ｍｍにし、このテーパ管（１）の後端（１ｂ）の管内径（Ｌ2 ）を４〜２１ｍｍにしたことを特徴とする請求項１記載の配線具。
【請求項３】
前記テーパ管（１）の長さを０．５〜２．０ｍにしたことを特徴とする請求項１または２記載の配線具。
【請求項４】
嵌合して連結したときの重なる部分の長さを２０〜１００ｍｍにしたことを特徴とする請求項１〜３のいずれかに記載の配線具。
【請求項５】
複数本を連結したときに最も前方になるテーパ管（１）の前寄り部に、電線（Ｅ）の止め具（３）を連結したことを特徴とする請求項１〜４のいずれかに記載の配線具。
【請求項６】
複数本を連結したときに最も前方になるテーパ管（１）の前寄り部に、電線（Ｅ）の通し孔（４）を設けたことを特徴とする請求項１〜４のいずれかに記載の配線具。
【発明の詳細な説明】
【技術分野】
【０００１】
この発明は、天井裏や壁間等のような狭い空間に電線等を配線するのに用いられる配線具に関するものである。
【背景技術】
【０００２】
従来、この種の配線具は、例えば図１１に示されるように、先端から根元へ順次外径寸法が増加する複数本のつなぎ竿１１…を、外径寸法の大きいものの根元から外径寸法の小さいものを挿入して先端側への引張力にて引き抜けないように、かつ伸縮自在に連結して、引出棒本体１２を形成したものとしている（特許文献１）。
【０００３】
このように構成された従来の配線具は、狭い天井裏や壁間の箇所において、短縮して持ち込んだ後に、その場で伸長して使用できて、便利であるとしている。
【０００４】
さらに、従来の配線具は、例えば図１２に示されるように、棒材２１を複数本、順次連結すると共に、先端に電線連結部２２を取り付けて、天井裏や壁の中などへの配線作業に用いられるものとしている。棒材２１は、両端部２１ａにネジ孔２３を有した金具２４がそれぞれ固定されており、このネジ孔２３に螺合する雄ネジ部２５を両端に有する短寸の連結金具２６で、隣り合うどうしの棒材２１を連結したものとしている（特許文献２）。
【０００５】
このように構成された従来の配線具は、継ぎ足し式であるため、棒材２１を必要な長さに連結して配線作業ができると共に、全長を十分長くすることができ、長距離の配線工事にも対応することができるとしている。
【特許文献１】実公平４−４５３７６号公報（第２頁、第１図）
【特許文献１】実用新案登録第３０３２５４９号公報（第５頁、図１）
【発明の開示】
【発明が解決しようとする課題】
【０００６】
しかしながら、特許文献１に記載された配線具は、作業現場によっては比較的長い引出棒が必要になった場合、長いものにすると、根元が太くなって狭い空間では扱い難いという問題点があった。また、この配線具では、比較的長い引出棒にしても長距離間に配線する場合には対応しきれない場合があり、伸縮式の引出棒では、何回かに分けてこの距離に対応するしかなかった。
【０００７】
さらに、特許文献２に記載された配線具は、継ぎ足し式であるため、長いものであろうと短いものであろうと太さが変わらないので、狭い空間でも扱い難いという問題点はなかった。しかし、この配線具では、使用時には棒材２１を連結金具２６にねじ込むことによって継ぎ足さなければならないため、この継ぎ足し作業が非常に面倒であるという問題点があった。また、この配線具では、不使用時には棒材２１と連結金具２６とのねじ込みを緩めて取り外しておかないと、嵩低くして保管しておくことができず、その作業が非常に面倒であるという問題点があった。
【０００８】
そこで、この発明は、上記従来の問題点を解決するものであり、配線する箇所が短距離間であろうと、長距離間であろうと、その取り扱いが簡単であり、さらに使用時には継ぎ足し作業が非常に簡単であり、不使用時にも取り外し作業が非常に簡単で、作業性、保管性に非常に優れた配線具を提供することを目的としてなされたものである。
【課題を解決するための手段】
【０００９】
そのため、この発明の配線具は、前端１ａから後端１ｂにかけて管内径が徐々に広げられた複数本の同一形状のテーパ管１からなり、前方になるテーパ管１の後端１ｂ側に、後方になるテーパ管１の前端１ａ側を差し込んで、複数本のテーパ管１を順次嵌合して連結するようにしている。
【００１０】
そして、この発明の配線具は、前記テーパ管１の前端１ａの管外径Ｌ1 を３〜２０ｍｍにし、このテーパ管１の後端１ｂの管内径Ｌ2 を４〜２１ｍｍにしたものとしている。
【００１１】
また、この発明の配線具は、前記テーパ管１の長さを０．５〜２．０ｍにしたものとしている。
【００１２】
さらに、この発明の配線具は、嵌合して連結したときの重なる部分の長さを２０〜１００ｍｍにしたものとしている。
【００１３】
また、この発明の配線具は、複数本を連結したときに最も前方になるテーパ管１の前寄り部に、電線Ｅの止め具３を連結したものとしている。
【００１４】
さらに、この発明の配線具は、複数本を連結したときに最も前方になるテーパ管１の前寄り部に、電線Ｅの通し孔４を設けたものとしている。
【発明の効果】
【００１５】
この発明の配線具は、以上に述べたように構成されているので、配線する箇所が短距離間であろうと、長距離間であろうと、その取り扱いが簡単であり、さらに使用時には継ぎ足し作業が非常に簡単であり、不使用時にも取り外し作業が非常に簡単で、作業性、保管性に非常に優れたものとなった。
【発明を実施するための最良の形態】
【００１６】
以下、この発明の配線具の実施の形態を、図面に基づいて詳細に説明する。
【００１７】
この発明の配線具は、複数本の同一形状のテーパ管１を順次嵌合して連結するようにしている。各々のテーパ管１は、前端１ａから後端１ｂにかけて管内径が徐々に広げられたものとしており、これら各々のテーパ管１を順次嵌合して連結するには、図１に示したように、前方になるテーパ管１の後端１ｂ側に、後方になるテーパ管１の前端１ａ側を順次差し込んでいくようにしている。
【００１８】
前記テーパ管１は、図２に示したように、前端１ａの管外径Ｌ1 を３〜２０ｍｍにし、後端１ｂの管内径Ｌ2 を４〜２１ｍｍにしたものとするのが好ましい。このテーパ管１の前端１ａの管外径Ｌ1 および後端１ｂの管内径Ｌ2 が前記した範囲にない場合には、テーパ管１が全体として細くなり過ぎたり、太くなり過ぎて、扱い難くなるので好ましくない。なお、前記テーパ管１は、前端１ａの管外径Ｌ1 を３〜２０ｍｍにし、後端１ｂの管内径Ｌ2 を４〜２１ｍｍにしているが、前端１ａの管外径Ｌ1 は後端１ｂの管内径Ｌ2 より常に小さくして、前方になるテーパ管１の後端１ｂ側に、後方になるテーパ管１の前端１ａ側を順次差し込んでいけるようにしているのはいうまでもない。
【００１９】
また、前記テーパ管１の長さは、０．５〜２．０ｍにするのが好ましい。このテーパ管１が０．５ｍより短いと、連結する本数を非常に多くしないと、目的とする長さになかなかならないので好ましくなく、またテーパ管１が２．０ｍより長いと、保管時に嵩張ってしまうので好ましくない。
【００２０】
さらに、前記テーパ管１は、嵌合して連結したときのテーパ管１どうしの重なる部分の長さを２０〜１００ｍｍにしたものとしている。このテーパ管１どうしの重なる部分の長さが前記した範囲にない場合には、テーパ管１の材質によっても左右されるが、嵌合が弱すぎてテーパ管１どうしが外れ易くなったり、嵌合が強すぎてテーパ管１どうしがなかなか外れなかったりするので好ましくない。なお、前記テーパ管１どうしの重なる部分は、その部分の肉厚を増加させたり、それぞれのテーパ管１の外面に補強テープ（図示せず）を巻いたりして、強化したものとすることができる。
【００２１】
また、前記テーパ管１の材質は、通常の合成樹脂とすることもできるが、炭素繊維強化樹脂などの繊維強化樹脂（ＦＲＰ）にするのが、各テーパ管１どうしの嵌合の具合が良く、強度性に優れたものになるので好ましい。なお、前記テーパ管１の前端１ａは、開口した状態にしておいても、閉鎖した状態にしておいてもよいが、閉鎖した状態にしておいた方が強度性に優れたものになるので好ましい。
【００２２】
なお、前記テーパ管１は、複数本を連結したときに最も前方になるテーパ管１の前端１ａには、電線Ｅなどを引っ掛けて配線作業を行うが、図３に示したように、テーパ管１の前端１ａにネジ溝２を設け、図４に示したように、このネジ溝２にねじ込んで着脱自在に連結した止め具３の掛止部３ａに、電線Ｅなどを引っ掛けて配線作業を行うことができるものとしている。さらに、図５に示したように、前記ネジ溝２にねじ込んで着脱自在に連結した止め具３の通し孔４に、電線Ｅなどを引っ掛けて配線作業を行うことができるものとすることもできる。また、図６に示したように、テーパ管１の前端１ａからやや後退した部分に通し孔４を設け、図７に示したように、この通し孔４に連結したリング状の止め具３に電線Ｅなどを引っ掛けて配線作業を行うことができるものとすることもできる。さらに、図８に示したように、前記テーパ管１の前端１ａに通し孔４を設け、図８に示したように、この通し孔４に電線Ｅなどを引っ掛けて配線作業を行うことができるものとしてもよい。なお、図６に示したテーパ管１の通し孔４には、リング状の止め具３を連結し、この止め具３に電線Ｅなどを引っ掛けたものとしているが、前記止め具３を連結することなく、その通し孔４に直接、電線Ｅなどを引っ掛けたものとしてもよい。
【００２３】
このように、複数本を連結したときに最も前方になるテーパ管１の前寄り部に、止め具３を連結したり、通し孔４を設ければ、電線Ｅなどが引っ掛け易くなると共に、引っ掛けた電線Ｅなどが外れ難くなるので、配線作業を効率よく行うことができるものとなる。
【００２４】
この発明の配線具は、以上に述べたように構成されており、複数本の同一形状のテーパ管１を順次テーパ嵌合で連結するようにしているため、次のような優れた点を有したものとなる。
【００２５】
１）連結するのに順序がなく、素早く連結することができる。
２）任意の長さを容易に構成することができ、各テーパ管１のいずれかが損傷して使用不能となっても、そのテーパ管１を使用しなければよく、まったく影響がない。
３）連結するための金具などをテーパ管１の両端に備えることなく連結可能なため、簡単な構造となり、製造コストを低くおさえることができる。
４）摩擦を利用しての嵌合であるので、従来のねじ込み式等と比較すれば、テーパ管１どうしを素早く連結したり、取り外したりすることができる。
５）嵌合部分が擦り減っても、連続したテーパ面としているので、嵌合具合を保持することができる。
６）多数連結しても、中実の棒体でなく中空の管体であるので、重量が軽いものとなって取り扱いやすい。
【００２６】
したがって、この発明の配線具は、配線する箇所が短距離間であろうと、長距離間であろうと、その取り扱いが簡単であり、さらに使用時には継ぎ足し作業が非常に簡単であり、不使用時にも取り外し作業が非常に簡単で、作業性、保管性に非常に優れたものとなる。
【図面の簡単な説明】
【００２７】
【図１】この発明の配線具のテーパ管どうしを連結しようとする状態の説明図である。
【図２】この発明の配線具を構成するテーパ管の一実施形態を示しており、そのテーパ管の中間部を省略して前後端部を断面した状態の側面図である。
【図３】この発明の配線具を連結したときに最も前方になるテーパ管の一例を示しており、そのテーパ管の中間部を省略して前後端部を断面した状態の側面図である。
【図４】この発明の配線具を連結したときに最も前方になるテーパ管の前寄り部に連結する止め具の一例を示しており、その止め具に電線を引っ掛けた状態を示す説明図である。
【図５】この発明の配線具を連結したときに最も前方になるテーパ管の前寄り部に連結する止め具の他の例を示しており、その止め具に電線を引っ掛けた状態を示す説明図である。
【図６】この発明の配線具を連結したときに最も前方になるテーパ管の他の例を示しており、そのテーパ管の中間部を省略して前後端部を断面した状態の側面図である。
【図７】この発明の配線具を連結したときに最も前方になるテーパ管の前寄り部に連結する止め具のさらに他の例を示しており、その止め具に電線を引っ掛けた状態を示す説明図である。
【図８】この発明の配線具を連結したときに最も前方になるテーパ管のさらに他の例を示しており、そのテーパ管の中間部を省略して前後端部を断面した状態の側面図である。
【図９】この発明の配線具を連結したときに最も前方になるテーパ管の前寄り部に通し孔を設け、その通し孔に電線を引っ掛けた状態を示す説明図である。
【図１０】この発明の配線具のテーパ管どうしを連結した状態の説明図である。
【図１１】従来の配線具の一例を示す全体斜視図である。
【図１２】従来の配線具の他の例を示す分解斜視図である。
【符号の説明】
【００２８】
１  テーパ管
１ａ  前端
１ｂ  後端
３  止め具
４  通し孔
Ｌ1  管外径
Ｌ2  管内径
Ｅ  電線
【図１】
2008236841.tif 000003
【図２】
2008236841.tif 000004
【図３】
2008236841.tif 000005
【図４】
2008236841.tif 000006
【図５】
2008236841.tif 000007
【図６】
2008236841.tif 000008
【図７】
2008236841.tif 000009
【図８】
2008236841.tif 000010
【図９】
2008236841.tif 000011
【図１０】
2008236841.tif 000012
【図１１】
2008236841.tif 000013
【図１２】
2008236841.tif 000014